(57)【特許請求の範囲】
【請求項１】
周壁(11)に連設した内フラップ(4)と外フラップ(5)とを重ね合わせ、外フラップ(5)の先端同士を突き合わせて底壁(12)及び天壁(13)を形成し、底壁(12)及び天壁(13)の一方に凹部(8)、他方に凸部(9)をそれぞれ押圧により設け、積上時に凹部(8)と凸部(9)が噛合して荷崩れを防止する段ボール箱において、
前記凹部(8)は、外フラップ(5)の先端縁に臨む中間部分における段ボールの面状段潰しにより形成し、前記凸部(9)は、外フラップ(5)の先端縁に臨む中間部分の周囲における段ボールの面状段潰しにより形成し、
凹部(8)及び凸部(9)の外周に、その段差に臨んで相反する方向に膨出した切目線(10)を入れ、切目線(10)から露出する段ボールの切断縁同士が積上時に噛み合うようにしたことを特徴とする積上噛合段ボール箱。
【発明の詳細な説明】
【技術分野】
【０００１】
この発明は、積上時に荷崩れを防止する対策を施した段ボール箱に関するものである。
【背景技術】
【０００２】
一般に、物流に使用される段ボール箱は、荷台への積載等に際し、向きを揃えて積み上げる棒積みされる場合が多い。この棒積み状態における荷崩れを防止するため、下記特許文献１には、図９に示すように、周壁５１から延びる底壁及び天壁の外フラップ５２に、両側縁から先端縁にかけて斜め方向に延びる波状部５３を押圧により設け、波状部５３の噛合により、上下の段ボール箱の滑りを抑制しようとするものが記載されている。
【先行技術文献】
【特許文献】
【０００３】
【特許文献１】実開昭６１−１９５２７号公報
【発明の概要】
【発明が解決しようとする課題】
【０００４】
しかしながら、上記のような段ボール箱では、積み上げる際、下段側となる段ボール箱に対して上段側となる段ボール箱の位置を正確に合わせなければ、波状部５３が噛み合わず、また、内容物の荷重により底面が太鼓状に膨らむと、やはり波状部５３が噛み合いにくくなり、荷崩れ防止効果が得られないという問題がある。
【０００５】
そこで、この発明は、厳密に位置決めせずに積み上げても、確実に荷崩れ防止効果が得られるようにすることを課題とする。
【課題を解決するための手段】
【０００６】
上記課題を解決するため、この発明は、周壁、底壁及び天壁を有し、底壁及び天壁の一方に凹部、他方に凸部をそれぞれ押圧により設け、積上時に凹部と凸部が噛合して荷崩れを防止する段ボール箱において、前記凹部及び凸部を、段ボールの面状段潰しにより形成し、凹部及び凸部の外周に、その段差に臨んで相反する方向に膨出した切目線を入れ、切目線から露出する段ボールの切断縁同士が積上時に噛み合うようにしたのである。
【発明の効果】
【０００７】
この発明に係る段ボール箱では、積上に際し、下段側の段ボール箱に対して、上段側の段ボール箱が水平面のいずれの方向にずれていても、また、内容物の荷重で底面が膨らんでいても、切目線の切断縁同士が引っ掛かるように噛み合って、段ボール箱相互の滑りが防止されるので、荷崩れが確実に防止される。
【図面の簡単な説明】
【０００８】
【図１】この発明に係る積上噛合段ボール箱のブランクを示す図
【図２】同上の組立状態を天壁側から示す斜視図
【図３】同上の組立状態を底壁側から示す斜視図
【図４】同上の段ボール箱の積上状態を示す斜視図
【図５】同上の図４におけるＶ−Ｖ線に沿った部分の拡大断面図
【図６】同上の噛合部分の拡大断面図
【図７】同上の抜型による切目線部分の加工過程を示す断面図
【図８】同上の加工後の段ボールの状態を示す拡大斜視図
【図９】従来の段ボール箱の積上状態を示す斜視図
【発明を実施するための形態】
【０００９】
以下、この発明の実施形態を添付図面に基づいて説明する。
【００１０】
図１に示すように、この段ボール箱のブランクでは、各一対の側壁１及び端壁２が交互に連設され、一方の側壁１の外側に継代片３が連設されると共に、端壁２の上下端に内フラップ４が、側壁１の上下端に外フラップ５がそれぞれ連設されている。端壁２の上部には、長円形の把手穴６が設けられている。
【００１１】
下方の外フラップ５の表面には、先端縁に臨む中間部分を長方形状に押し潰すことにより（図示斜線部）、その押潰部７から成る凹部８が設けられている。
【００１２】
上方の外フラップ５の表面には、先端縁に臨む中間部分及び側壁１との境界付近の部分を除き広範囲に亘って押し潰すことにより（図示斜線部）、その押潰部７の内側に、凹部８よりも一回り小さい長方形状の凸部９が設けられている。凸部９は、押潰部７に対して相対的に突出したものであり、押潰部７以外の部分と同様の厚さとなっている。
【００１３】
凹部８及び凸部９の外周には、その段差に臨んで円弧状の切目線１０が複数箇所に入れられている。凹部８の切目線１０は、凹部８の内側へ向かって膨出した形状とされ、凸部９の切目線１０は、凸部９から外側へ向かって膨出した形状とされている。
【００１４】
上記ブランクは、図７に示すように、材料の段ボールＳを抜型Ｄで打ち抜いて製造される。段ボールＳは、表裏のライナー２１の間に波状の中芯２２を挟着したものであり、抜型Ｄは、切刃２３及びコルク製の押圧体２４を備えている。
【００１５】
そして、押潰部７は、押圧体２４で段ボールＳの中芯２２を押し潰す段潰し加工により形成され、切目線１０は、切刃２３を段ボールＳの表裏に貫通させることにより入れられる。押潰部７及び切目線１０は、ダイカッタによるブランク全体の打抜時のほか、フレキソグルアによる印刷及び糊貼り工程においても、部分型により加工可能である。
【００１６】
このように押潰部７を形成して切目線１０を入れると、図８に示すように、押潰部７とそれ以外の部分の段差において、切目線１０から段ボールＳの切断縁が露出する。
【００１７】
上記ブランクを組み立てて物品を包装する際には、図２及び図３に示すように、各一対の側壁１及び端壁２を四角筒状に折り曲げ、継代片３を反対側の端壁２の内面に貼り付けて周壁１１を形成し、下方の内フラップ４及び外フラップ５を貼り合わせて底壁１２を形成した状態で、箱内に物品を収納した後、上方の内フラップ４及び外フラップ５を貼り合わせて天壁１３を形成する。
【００１８】
そして、このような段ボール箱を物流過程で積み上げる際には、図４及び図５に示すように、下段側となる段ボール箱の天壁１３の凸部９を、上段側となる段ボール箱の底壁１２の凹部８に嵌め込む。
【００１９】
このように段ボール箱を積み上げると、切目線１０から露出する段ボールの切断縁同士が噛み合って、下段側の段ボール箱の天壁１３と上段側の段ボール箱の底壁１２の相互の滑りが阻止される。
【００２０】
より詳細には、図６に示すように、重なり合う段ボールの切目線１０に臨むライナー２１同士が引っ掛かるように噛み合うので、押潰部７が反発により多少復元しても、段ボール同士の滑りは強固に阻止される。
【００２１】
また、切目線１０が円弧状に膨出した形状となっているので、積み上げた状態で上下の段ボール箱が水平面のいずれの方向にずれていても、また、内容物の荷重で底壁１２が膨らんでいても、段ボール箱相互の滑りが防止されて、荷崩れが確実に防止される。
【００２２】
なお、上記実施形態では、切目線１０が円弧状に膨出したものを例示したが、切目線１０は、コ字状やＶ字状に膨出する形状としても、同様の防止効果を得ることができる。
【００２３】
また、底壁１２に凹部８を、天壁１３に凸部９をそれぞれ設けたが、底壁１２に凸部９を、天壁１３に凹部８をそれぞれ設けるようにしてもよく、これらの配置や形状は適宜変更してもよい。
【００２５】
そのほか、周壁１１が四角筒状となる段ボール箱を例示したが、周壁１１が六角筒状や八角筒状等となる段ボール箱においても、同様の構成を採用することができる。
【符号の説明】
【００２６】
１  側壁
２  端壁
３  継代片
４  内フラップ
５  外フラップ
６  把手穴
７  押潰部
８  凹部
９  凸部
１０  切目線
１１  周壁
１２  底壁
１３  天壁
Ｓ  段ボール
２１  ライナー
２２  中芯
Ｄ  抜型
２３  切刃
２４  押圧体
【図１】
0005671415.tif 000002
【図２】
0005671415.tif 000003
【図３】
0005671415.tif 000004
【図４】
0005671415.tif 000005
【図５】
0005671415.tif 000006
【図６】
0005671415.tif 000007
【図７】
0005671415.tif 000008
【図８】
0005671415.tif 000009
【図９】
0005671415.tif 000010